(57)【要約】【課題】排水口接続部と排水口流路部との間の拡大空間部内に発生した汚れなどを簡単に落とすことができる浴槽排水部構造を提供する。【解決手段】浴槽の排水口に接続される排水口接続部と、排水口接続部の下方に設けられ、底面と内壁面と底面に設けられた排水孔とを有し、排水口接続部よりも大きい流路断面積を有する拡大空間を底面と内壁面とで形成し、封水を貯留可能とした拡大空間部と、排水孔から排出された浴槽水を洗い場床側に流す排水流路部と、を備え、排水口接続部は、下方に向かって突出した突出部を有し、突出部の下端は、封水の最高位置よりも下方かつ底面よりも上方に位置し、底面との間に間隙を有し、拡大空間部は、底面と内壁面と突出部とに囲まれた半隠蔽空間を拡大空間内に有し、浴槽水の排出の際に、間隙から半隠蔽空間内に浴槽水の一部を流入させることを特徴とする浴槽排水部構造である。【選択図】図５
2019015057.tif 000002
【特許請求の範囲】
【請求項１】
浴槽の排水口の下流側に設けられ、前記浴槽から排出された浴槽水を洗い場床側の排水部に排出する浴槽排水部構造であって、
前記浴槽の前記排水口に下方から接続される排水口接続部と、
前記排水口接続部の下方に設けられ、底面と、前記底面の外周を囲む内壁面と、前記底面に設けられた排水孔と、を有し、前記排水口接続部の流路断面積よりも大きい流路断面積を有する拡大空間を前記底面と前記内壁面とで形成し、前記拡大空間内に封水を貯留可能とした拡大空間部と、
前記排水孔から排出された前記浴槽水を前記洗い場床側の排水部に流す排水流路部と、
を備え、
前記排水口接続部は、下方に向かって突出した突出部を有し、
前記突出部の下端は、前記拡大空間内に貯留される封水の最高位置よりも下方、かつ前記底面よりも上方に位置し、前記底面との間に間隙を有し、
前記拡大空間部は、前記底面と前記内壁面と前記突出部とに囲まれた半隠蔽空間を前記拡大空間内に有し、前記浴槽水の排出の際に、前記間隙から前記半隠蔽空間内に前記浴槽水の一部を流入させることで、前記半隠蔽空間内に上下旋回流を発生させることを特徴とする浴槽排水部構造。
【請求項２】
前記排水孔は、前記突出部よりも前記排水流路部の排水方向に延びた長孔形状であることを特徴とする請求項１記載の浴槽排水部構造。
【請求項３】
前記排水孔の上下方向及び前記排水方向と直交する方向の横幅は、前記排水方向に向かうに従って広くなることを特徴とする請求項２記載の浴槽排水部構造。
【請求項４】
前記内壁面と前記突出部との間の上下方向と直交する方向の距離は、前記排水流路部の排水方向に向かうに従って長くなることを特徴とする請求項１〜３のいずれか１つに記載の浴槽排水部構造。
【請求項５】
前記突出部は、筒状であり、
前記排水口接続部は、前記排水口から流れ込んだ前記浴槽水を前記突出部の内部を通過させて前記拡大空間部へ流入させることを特徴とする請求項１〜４のいずれか１つに記載の浴槽排水部構造。
【発明の詳細な説明】
【技術分野】
【０００１】
本発明の態様は、一般的に、浴槽の排水部の構造に関する。
【背景技術】
【０００２】
浴槽は、浴槽水（浴槽内に溜められた湯水）を外部に排出するための排水口を底面に有している。浴槽の排水口よりも下流側には、浴槽の排水口に対して下方から接続される排水口接続部、及び、排水口接続部から流れ込んだ浴槽水を排出するための排水流路部が設けられている。
【０００３】
また、浴槽の排水口に設置される排水栓を開閉させるための操作ワイヤを通す目的や、浴槽が設置される浴槽パンから流れ込んでくる水を排出するための排出口を設ける目的のため、排水口接続部の流路断面積よりも大きい流路断面積を有する拡大空間部を、排水口接続部と排水口流路部との間に設けることが行われている（例えば、特許文献１参照）。
【０００４】
このような浴槽排水部構造においては、封水を洗い場床側の排水部と共用している場合が多い。この場合、封水の高さは、洗い場床側の排水部によって規定されるため、浴槽の排水部側では、封水の高さをコントロールし難い。結果として、封水の高さが、拡大空間部の底面より高くなり易い。封水の高さが拡大空間部の底面よりも高いと、拡大空間部内にある封水の水量が多くなり、浴槽水を排出した際にも、拡大空間部内にある封水が置換され難くなってしまう。また、封水は、基本的に浴槽水や洗い場床側からの排水などの汚水によって形成される。このように、拡大空間部においては、汚水によって形成された封水が置換され難いため、拡大空間部内には、汚れなどが発生し易い。こうした汚れは、悪臭などの要因となってしまう可能性もある。
【０００５】
また、浴槽側の排水部は、洗い場床側の排水部と比べて、使用者などが清掃し難く、拡大空間部内に発生した汚れなどは、非常に取り除き難い。このため、浴槽排水部構造においては、排水口接続部と排水口流路部との間に拡大空間部を設けた場合にも、拡大空間部内に発生した汚れなどを簡単に落とせるようにすることが望まれる。
【先行技術文献】
【特許文献】
【０００６】
【特許文献１】特開２０１４−１２９６９９号公報
【発明の概要】
【発明が解決しようとする課題】
【０００７】
本発明は、かかる課題の認識に基づいてなされたものであり、排水口接続部と排水口流路部との間の拡大空間部内に発生した汚れなどを簡単に落とすことができる浴槽排水部構造を提供することを目的とする。
【課題を解決するための手段】
【０００８】
第１の発明は、浴槽の排水口の下流側に設けられ、前記浴槽から排出された浴槽水を洗い場床側の排水部に排出する浴槽排水部構造であって、前記浴槽の前記排水口に下方から接続される排水口接続部と、前記排水口接続部の下方に設けられ、底面と、前記底面の外周を囲む内壁面と、前記底面に設けられた排水孔と、を有し、前記排水口接続部の流路断面積よりも大きい流路断面積を有する拡大空間を前記底面と前記内壁面とで形成し、前記拡大空間内に封水を貯留可能とした拡大空間部と、前記排水孔から排出された前記浴槽水を前記洗い場床側の排水部に流す排水流路部と、を備え、前記排水口接続部は、下方に向かって突出した突出部を有し、前記突出部の下端は、前記拡大空間内に貯留される封水の最高位置よりも下方、かつ前記底面よりも上方に位置し、前記底面との間に間隙を有し、前記拡大空間部は、前記底面と前記内壁面と前記突出部とに囲まれた半隠蔽空間を前記拡大空間内に有し、前記浴槽水の排出の際に、前記間隙から前記半隠蔽空間内に前記浴槽水の一部を流入させることで、前記半隠蔽空間内に上下旋回流を発生させることを特徴とする浴槽排水部構造である。
【０００９】
この浴槽排水部構造では、拡大空間部内に半隠蔽空間が設けられ、浴槽水が排出された際に、拡大空間部の底面と突出部との間の間隙から、半隠蔽空間に浴槽水の一部を流入させている。半隠蔽空間に浴槽水が流れ込むと、空間が半隠蔽されているが故に、流れ込んだ浴槽水の内圧によって半隠蔽空間内に強い上下旋回流が形成される。これにより、拡大空間部内に汚れなどが発生した場合であっても、浴槽水を排出する度に、拡大空間部内に発生した汚れなどを、この強い上下旋回流によって洗い流すことができる。従って、部品などを取り外して拡大空間部内を清掃させる手間を使用者などに掛けさせることがなく、拡大空間部内に発生した汚れなどを簡単に落とすことができる。
【００１０】
第２の発明は、第１の発明において、前記排水孔は、前記突出部よりも前記排水流路部の排水方向に延びた長孔形状であることを特徴とする浴槽排水部構造である。
【００１１】
この浴槽排水部構造によれば、排水孔を長孔形状とすることにより、浴槽水が排出された際に、浴槽水を排水流路部に流し易くすることができる。さらには、突出部よりも排水流路部の排水方向に延びた排水孔から排出される浴槽水の引き込み力により、半隠蔽空間内に形成された上下旋回流を、上下旋回流によって剥ぎ落された汚れとともに排水流路部に排出し易くすることができる。従って、上下旋回流によって剥ぎ落された汚れなどが拡大空間部内に残ってしまうことを抑制することができ、拡大空間部内に発生した汚れなどをより確実に洗い流すことができる。
【００１２】
第３の発明は、第２の発明において、前記排水孔の上下方向及び前記排水方向と直交する方向の横幅は、前記排水方向に向かうに従って広くなることを特徴とする浴槽排水部構造である。
【００１３】
この浴槽排水部構造によれば、上下旋回流が、排水孔から排水孔の直下の排水流路部内に流入して、排水流路部の側壁面に衝突した際に、上下旋回の回転のエネルギーの一部を排水流路部の排水方向に向かうエネルギーに利用することができる。従って、排水流路部における排水速度を上げ、上下旋回流をより排水流路部に排出し易くすることができる。
【００１４】
第４の発明は、第１〜第３のいずれか１つの発明において、前記内壁面と前記突出部との間の上下方向と直交する方向の距離は、前記排水流路部の排水方向に向かうに従って長くなることを特徴とする浴槽排水部構造である。
【００１５】
この浴槽排水部構造によれば、内壁面と突出部との間の距離の違いにより、排水流路部の排水方向に向かうに従って、半隠蔽空間内の圧力を低くする圧力差を生じさせることができる。従って、上下旋回流を圧力の低くなる排水流路部の排水方向に向かって流れ易くすることができる。これにより、上下旋回流をより排水流路部に排出し易くすることができる。
【００１６】
第５の発明は、第１〜第４のいずれか１つの発明において、前記突出部は、筒状であり、前記排水口接続部は、前記排水口から流れ込んだ前記浴槽水を前記突出部の内部を通過させて前記拡大空間部へ流入させることを特徴とする浴槽排水部構造である。
【００１７】
この浴槽排水部構造によれば、浴槽の排水口から流れ込んだ浴槽水を速やかに排水孔に流入させるとともに、浴槽の排水口から流れ込んだ一部の浴槽水を拡大空間部の底面と筒状の突出部との間の間隙から半隠蔽空間へ速やかに流入させることができる。
【発明の効果】
【００１８】
本発明の態様によれば、排水口接続部と排水口流路部との間の拡大空間部内に発生した汚れなどを簡単に落とすことができる浴槽排水部構造が提供される。
【図面の簡単な説明】
【００１９】
【図１】実施形態に係る浴室ユニットを模式的に表す平面図である。
【図２】実施形態に係る浴室ユニットの一部を模式的に表す断面図である。
【図３】実施形態に係る浴室ユニットの一部を模式的に表す分解斜視図である。
【図４】実施形態に係る浴槽排水部構造を模式的に表す断面図である。
【図５】実施形態に係る浴槽排水部構造を模式的に表す断面図である。
【図６】実施形態に係る接続配管を模式的に表す斜視図である。
【発明を実施するための形態】
【００２０】
以下、実施形態について図面を参照しつつ説明する。なお、各図面中、同様の構成要素には同一の符号を付して詳細な説明は適宜省略する。  
図１は、実施形態に係る浴室ユニットを模式的に表す平面図である。  
図１に表したように、浴室ユニット２は、浴槽１０と、洗い場床２０と、を備える。浴槽１０は、上下方向と直交する水平方向において洗い場床２０と並べて配置される。浴室ユニット２は、例えば、浴槽１０、洗い場床２０、壁パネル、及び天井パネルなどをユニット化した、いわゆるユニットバスやシステムバスである。
【００２１】
浴槽１０は、例えば、浴槽本体１１と、排水口１２と、排水栓１３と、操作部１４と、を有する。浴槽本体１１は、内部に湯水を溜めることができる凹状であり、底面１１ａと、底面１１ａの周囲を囲む上端面（リム面）１１ｂと、を有する。
【００２２】
排水口１２は、浴槽本体１１の底面１１ａに設けられ、浴槽本体１１に溜められた湯水（以下、浴槽水と称す）を外部に排出可能とする。排水栓１３は、排水口１２に取り付けられ、排水口１２を開閉する。操作部１４は、浴槽本体１１の上端面１１ｂに設けられている。操作部１４は、操作ワイヤ１６（図４、図５参照）などを介して排水栓１３と接続され、操作力を排水栓１３に伝達する。これにより、操作部１４の操作に応じて、排水口１２を塞いだ閉状態と、排水口１２を開いた開状態と、に排水栓１３が切り替えられる。排水栓１３を閉状態とすることにより、浴槽本体１１内に浴槽水を溜めることが可能となる。そして、排水栓１３を開状態とすることにより、浴槽本体１１内に溜められた浴槽水が排水口１２から外部に排出される。
【００２３】
洗い場床２０は、床本体２１と、排水口部材２２と、を有する。排水口部材２２は、排水口２３を有し、床本体２１の床面２１ａに流された湯水を排水口２３から外部に排出する。排水口部材２２は、例えば、浴槽１０と洗い場床２０との境界付近に配置される。排水口２３は、例えば、浴槽１０と洗い場床２０との並ぶ方向において、浴槽１０の排水口１２と直線状に並べて配置される。排水口部材２２は、例えば、接着などにより、床本体２１に略一体に取り付けられる。
【００２４】
図２は、実施形態に係る浴室ユニットの一部を模式的に表す断面図である。  
図３は、実施形態に係る浴室ユニットの一部を模式的に表す分解斜視図である。  
図２は、図１のＡ１−Ａ２線断面を模式的に表している。  
図２及び図３に表したように、浴室ユニット２は、洗い場床排水部構造３０と、浴槽排水部構造４０と、をさらに備える。
【００２５】
洗い場床排水部構造３０は、例えば、排水トラップ３１と、封水筒３２と、を有する。排水トラップ３１は、内部の空間に封水を貯留可能な容器状である。排水トラップ３１は、例えば、締付フランジ３３及びパッキン３４を介して排水口部材２２の下方に取り付けられ、排水口２３に接続される。排水トラップ３１は、排出口３１ａを有する。排出口３１ａは、図示を省略した配管と接続され、この配管を介して外部の排水管などと接続される。これにより、洗い場床２０の排水口２３に流入した排水が、排水トラップ３１などを介して外部の排水管などに排出される。
【００２６】
封水筒３２は、排水口２３に対して上方から取り付けられる。封水筒３２の下端は、排水口２３に取り付けられた状態において、排水トラップ３１に貯留される封水の最高位置ＭＨＰよりも下方に位置にする。すなわち、封水筒３２の下端は、封水内に浸けられる。これにより、排出口３１ａを介して逆流する臭気や害虫などが、浴室内に侵入してしまうことを抑制することができる。封水の最高位置ＭＨＰは、例えば、排水トラップ３１の排出口３１ａ側の堰部３１ｂによって規定される。
【００２７】
封水筒３２には、例えば、ヘアキャッチャ３５が取り付けられる。ヘアキャッチャ３５は、網状に形成され、毛髪やゴミなどの排水管への侵入を抑制する。ヘアキャッチャ３５は、封水筒３２に着脱可能に取り付けられ、捕獲した毛髪やゴミなどを容易に捨てられるようにする。
【００２８】
また、図２に表したように、洗い場床２０は、カバー２４をさらに有する。カバー２４は、排水口部材２２の開口部に嵌って排水口２３の上方を覆う。カバー２４は、排水口部材２２の開口部との間に僅かに隙間を形成し、この隙間から排水口２３に湯水を排水可能にしつつ、床本体２１の床面２１ａと略面一になる。これにより、排水口２３を覆って浴室の美観を向上させることができるとともに、排水口部材２２の凹部に使用者などが足を引っ掛けてしまうことを抑制することができる。なお、図１では、便宜的に、カバー２４を取り外した状態を図示している。
【００２９】
浴槽排水部構造４０は、防水パン４１と、接続配管４２と、接続プレート４３と、を有する。防水パン４１は、浴槽本体１１（浴槽１０）の下方に設けられる。換言すれば、浴槽本体１１は、防水パン４１の上に設けられる。防水パン４１は、浴槽本体１１から漏れ出た湯水などを受け、浴槽本体１１から漏れ出た湯水などが建築躯体に流れてしまうことを抑制する。防水パン４１は、接続配管４２及び接続プレート４３を接続するための接続開口４１ａを有する。
【００３０】
接続配管４２の一端は、排水トラップ３１に接続される。接続配管４２の他端は、防水パン４１に接続される。接続配管４２は、例えば、締付フランジ４４及びパッキン４５を介して防水パン４１の接続開口４１ａに下方から接続される。
【００３１】
接続プレート４３は、例えば、ネジ止めなどによって防水パン４１に取り付けられる。接続プレート４３は、上方から防水パン４１に取り付けられ、接続開口４１ａを上方から塞ぐ。
【００３２】
接続プレート４３は、浴槽本体１１の排水口１２との接続に用いられる浴槽接続部４３ａを有する。浴槽接続部４３ａは、例えば、上方に向かって延びる筒状であり、排水口１２と接続された状態において、排水口１２から排出された浴槽水を流すための貫通孔を有する。浴槽接続部４３ａは、例えば、締付フランジ４６で浴槽本体１１の排水口１２の周囲を共締めすることにより、排水口１２に下方から接続される。
【００３３】
浴槽１０に溜められた浴槽水は、排水口１２、浴槽接続部４３ａ、接続開口４１ａ、及び接続配管４２を介して排水トラップ３１に排出される。このように、浴槽排水部構造４０は、浴槽１０の排水口１２の下流側に設けられ、浴槽１０から排出された浴槽水を洗い場床排水部構造３０に排出する。浴槽排水部構造４０の構成は、上記に限ることなく、浴槽水を洗い場床排水部構造３０側に排出可能な任意の構成でよい。
【００３４】
図４及び図５は、実施形態に係る浴槽排水部構造を模式的に表す断面図である。  
図４は、図１のＡ１−Ａ２線断面を模式的に表す。  
図５は、図１のＢ１−Ｂ２線断面を模式的に表す。  
図４及び図５に表したように、浴槽排水部構造４０は、排水口接続部５０と、拡大空間部６０と、排水流路部７０と、を有する。
【００３５】
排水口接続部５０は、浴槽１０の排水口１２に下方から接続される。この例において、排水口接続部５０は、例えば、接続プレート４３及び締付フランジ４６などによって構成される。
【００３６】
拡大空間部６０は、排水口接続部５０の下方に設けられる。拡大空間部６０は、底面６１と、底面６１の外周を囲む内壁面６２と、底面６１に設けられた排水孔６３と、を有する。拡大空間部６０は、排水口接続部５０の流路断面積Ｓ１よりも大きい流路断面積Ｓ２を有する拡大空間６４を底面６１と内壁面６２とで形成する。拡大空間６４の少なくとも一部は、洗い場床排水部構造３０によって規定される封水の最高位置ＭＨＰよりも下方に位置する。これにより、拡大空間部６０は、拡大空間６４内に封水を貯留可能とする。
【００３７】
この例において、拡大空間部６０は、例えば、接続配管４２、接続プレート４３、及び締付フランジ４４などによって構成される。排水口接続部５０の流路断面積Ｓ１は、例えば、締付フランジ４６の流路断面積である。拡大空間部６０の流路断面積Ｓ２は、例えば、締付フランジ４４の流路断面積である。
【００３８】
排水流路部７０は、排水孔６３から排出された浴槽水を洗い場床排水部構造３０に流す。この例において、排水流路部７０は、例えば、接続配管４２によって構成される。
【００３９】
排水口接続部５０は、下方に向かって突出した突出部５２を有する。突出部５２の下端５２ｂは、拡大空間６４内に貯留される封水の最高位置ＭＨＰよりも下方、かつ底面６１よりも上方に位置し、底面６１との間に間隙ＳＰを有する。
【００４０】
突出部５２は、例えば、筒状である。排水口接続部５０は、排水口１２から流れ込んだ浴槽水を突出部５２の内部を通過させて拡大空間部６０へ流入させる。この例において、突出部５２は、接続プレート４３に設けられている。突出部５２は、例えば、浴槽接続部４３ａの貫通孔と連続して設けられる。これにより、突出部５２の内部に浴槽水を通過させることができる。
【００４１】
排水孔６３の少なくとも一部は、突出部５２の直下に位置する。これにより、突出部５２の内部を通過する浴槽水を、スムーズに排水孔６３及び排水流路部７０に流すことができる。例えば、突出部５２が設けられていない場合などと比べて、浴槽１０に溜められた浴槽水の排水速度を高めることができる。
【００４２】
突出部５２の形状は、筒状に限ることなく、下方に向かって突出し、封水の最高位置ＭＨＰよりも下方、かつ底面６１よりも上方に位置する下端５２ｂを有する任意の形状でよい。
【００４３】
拡大空間部６０は、底面６１と内壁面６２と突出部５２とに囲まれた半隠蔽空間６５を拡大空間６４内に有する。拡大空間部６０は、浴槽水の排出の際に、間隙ＳＰから半隠蔽空間６５内に浴槽水の一部を流入させることで、半隠蔽空間６５内に上下旋回流ＲＦを発生させる。
【００４４】
上下旋回流ＲＦは、より詳しくは、間隙ＳＰから半隠蔽空間６５内に流入した後、底面６１、内壁面６２、拡大空間部６０の天井面、及び突出部５２に沿って上下に旋回する。上下旋回流ＲＦは、上記の旋回を繰り返しながら排水孔６３に向かって流れ、排水孔６３から洗い場床排水部構造３０側に排出される。
【００４５】
突出部５２の下端５２ｂと排水孔６３との間の上下方向の距離（間隙ＳＰの距離）は、例えば、５ｍｍ以上１５ｍｍ以下である。これにより、半隠蔽空間６５を適切に形成し、上下旋回流ＲＦを適切に発生させることができる。また、突出部５２の下端５２ｂを排水孔６３に近づけ、前述のように、突出部５２の内部を通過する浴槽水を、スムーズに排水孔６３及び排水流路部７０に流すことができる。
【００４６】
図４及び図５に表したように、浴槽１０は、例えば、昇降機構１５と、操作ワイヤ１６と、をさらに有する。昇降機構１５は、排水口１２の近傍に取り付けられる。この例では、昇降機構１５は、排水口１２に対して所定の高さとなるように、接続プレート４３に取り付けられている。より詳しくは、昇降機構１５は、筒状の突出部５２の内部に嵌め込まれて取り付けられている。昇降機構１５は、排水栓１３と接続されている。昇降機構１５は、排水栓１３を昇降させることにより、排水栓１３を開状態と閉状態とに切り替える。
【００４７】
操作ワイヤ１６の一端は、操作部１４に接続されている。操作ワイヤ１６の他端は、昇降機構１５に接続されている。これにより、操作部１４の操作力が、操作ワイヤ１６を介して昇降機構１５に伝達され、操作部１４の操作に応じて排水栓１３が昇降する。
【００４８】
接続プレート４３は、操作ワイヤ１６を挿通するための挿通口４３ｂを有する。操作ワイヤ１６は、挿通口４３ｂを介して拡大空間部６０の拡大空間６４内に挿通され、拡大空間６４内において下方から昇降機構１５と接続される。
【００４９】
挿通口４３ｂには、チューブ１７の一端が接続されている。チューブ１７の他端は、例えば、操作部１４に接続されている。チューブ１７は、例えば、可撓性を有し、操作ワイヤ１６とともに任意の方向に曲げることができる。このように、挿通口４３ｂと操作部１４との間をチューブ１７で接続することにより、拡大空間部６０内に流入した浴槽水などが、挿通口４３ｂから外部に漏れ出てしまうことを抑制することができる。
【００５０】
また、接続プレート４３には、図示を省略した排水弁が設けられている。接続プレート４３は、防水パン４１に漏れ出た湯水などを排水弁を介して拡大空間部６０内に流入させる。これにより、防水パン４１に漏れ出た湯水なども、洗い場床排水部構造３０側、及び外部の排水管などに適切に排水することができる。
【００５１】
このように、拡大空間部６０は、操作ワイヤ１６を挿通したり、防水パン４１からの排水を受けたりするための空間として用いられる。拡大空間部６０は、例えば、昇降式の排水栓１３、及び防水パン４１の少なくとも一方を備えた浴室ユニット２において必要となる。
【００５２】
図６は、実施形態に係る接続配管を模式的に表す斜視図である。  
図６に表したように、排水孔６３は、突出部５２よりも排水流路部７０の排水方向ＷＤＤに延びた長孔形状である。排水孔６３の上下方向及び排水方向ＷＤＤと直交する方向の横幅ＢＷは、排水方向ＷＤＤに向かうに従って広くなる。
【００５３】
また、図４及び図６に表したように、突出部５２は、拡大空間部６０の中央に対して排水方向ＷＤＤと反対の方向にずれて配置されている。このため、内壁面６２と突出部５２との間の上下方向と直交する方向の距離は、排水流路部７０の排水方向ＷＤＤに向かうに従って長くなる。例えば、図６に表したように、排水方向ＷＤＤ側の距離Ｌ１は、排水方向ＷＤＤと反対側の距離Ｌ２よりも長い。
【００５４】
以上、説明したように、本実施形態に係る浴室ユニット２及び浴槽排水部構造４０では、拡大空間部６０内に半隠蔽空間６５が設けられ、浴槽水が排出された際に、拡大空間部６０の底面６１と突出部５２との間の間隙ＳＰから、半隠蔽空間６５に浴槽水の一部を流入させている。半隠蔽空間６５に浴槽水が流れ込むと、空間が半隠蔽されているが故に、流れ込んだ浴槽水の内圧によって半隠蔽空間６５内に上下旋回流ＲＦが形成される。突出部５２を設け、比較的狭い半隠蔽空間６５を拡大空間部６０内に設けることにより、比較的強い上下旋回流ＲＦを形成することができる。
【００５５】
これにより、拡大空間部６０内に汚れなどが発生した場合であっても、浴槽水を排出する度に、拡大空間部６０内に発生した汚れなどを、この強い上下旋回流によって洗い流すことができる。例えば、拡大空間部６０内に発生した汚れなどを、比較的強い上下旋回流ＲＦによって剥ぎ落とすことができる。ここで、「拡大空間部６０内に発生した汚れなど」とは、例えば、拡大空間部６０内に繁殖した菌、表面に菌によって形成されたバイオフィルム、バイオフィルムを栄養に繁殖したカビなどである。従って、部品などを取り外して拡大空間部６０内を清掃させる手間を使用者などに掛けさせることがなく、拡大空間部６０内に発生した汚れなどを簡単に落とすことができる。
【００５６】
また、突出部５２を設けることにより、突出部５２の下端５２ｂと排水孔６３との間の上下方向の距離を短くすることができる。これにより、浴槽水をスムーズに排水孔６３及び排水流路部７０に流すことができる。例えば、突出部５２が設けられていない場合などと比べて、浴槽１０に溜められた浴槽水の排水速度を高めることができる。
【００５７】
また、浴室ユニット２及び浴槽排水部構造４０では、排水孔６３を長孔形状とすることにより、浴槽水が排出された際に、浴槽水を排水流路部７０に流し易くすることができる。さらには、突出部５２よりも排水流路部７０の排水方向ＷＤＤに延びた排水孔６３から排出される浴槽水の引き込み力により、半隠蔽空間６５内に形成された上下旋回流ＲＦを、上下旋回流ＲＦによって剥ぎ落された汚れとともに排水流路部７０に排出し易くすることができる。従って、上下旋回流ＲＦによって剥ぎ落された汚れなどが拡大空間部６０内に残ってしまうことを抑制することができ、拡大空間部６０内に発生した汚れなどをより確実に洗い流すことができる。
【００５８】
また、浴室ユニット２及び浴槽排水部構造４０では、排水孔６３の上下方向及び排水方向ＷＤＤと直交する方向の横幅ＢＷが、排水方向ＷＤＤに向かうに従って広くなる。これにより、上下旋回流ＲＦが、排水孔６３から排水孔６３の直下の排水流路部７０内に流入して、排水流路部７０の側壁面７０ｓ（図６参照）に衝突した際に、上下旋回の回転のエネルギーの一部を、排水方向ＷＤＤに向かって広くなる側壁面７０ｓの傾斜に従って、排水流路部７０の排水方向ＷＤＤに向かうエネルギーに利用することができる。従って、排水流路部７０における排水速度を上げ、上下旋回流ＲＦをより排水流路部７０に排出し易くすることができる。
【００５９】
また、浴室ユニット２及び浴槽排水部構造４０では、内壁面６２と突出部５２との間の上下方向と直交する方向の距離が、排水流路部７０の排水方向ＷＤＤに向かうに従って長くなる。このような内壁面６２と突出部５２との間の距離の違いにより、排水流路部７０の排水方向に向かうに従って、半隠蔽空間６５内の圧力を低くする圧力差を生じさせることができる。
【００６０】
例えば、図６に表したように、半隠蔽空間６５（拡大空間部６０）内において、比較的圧力の高い領域Ｒ１と、領域Ｒ１よりも圧力の低い領域Ｒ２、Ｒ３と、を設けることができる。従って、上下旋回流ＲＦを圧力の低くなる排水流路部７０の排水方向ＷＤＤに向かって流れ易くすることができる。例えば、領域Ｒ１から領域Ｒ２、Ｒ３に向かう流れｆ１、ｆ２を形成することができる。これにより、上下旋回流ＲＦをより排水流路部７０に排出し易くすることができる。
【００６１】
また、浴室ユニット２及び浴槽排水部構造４０では、突出部５２が、筒状であり、排水口接続部５０は、排水口１２から流れ込んだ浴槽水を突出部５２の内部を通過させて拡大空間部６０へ流入させる。これにより、浴槽１０の排水口１２から流れ込んだ浴槽水を速やかに排水孔６３に流入させるとともに、浴槽１０の排水口１２から流れ込んだ一部の浴槽水を拡大空間部６０の底面６１と筒状の突出部５２との間の間隙ＳＰから半隠蔽空間６５へ速やかに流入させることができる。
【００６２】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、浴室ユニット２及び浴槽排水部構造４０などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【００６３】
２ 浴室ユニット、  １０ 浴槽、  １１ 浴槽本体、  １２ 排水口、  １３ 排水栓、  １４ 操作部、  １５ 昇降機構、  １６ 操作ワイヤ、  １７ チューブ、  ２０ 洗い場床、  ２１ 床本体、  ２２ 排水口部材、  ２３ 排水口、  ２４ カバー、  ３０ 洗い場床排水部構造、  ３１ 排水トラップ、  ３２ 封水筒、  ３３ 締付フランジ、  ３４ パッキン、  ３５ ヘアキャッチャ、  ４０ 浴槽排水部構造、  ４１ 防水パン、  ４２ 接続配管、  ４３ 接続プレート、  ４４ 締付フランジ、  ４５ パッキン、  ４６ 締付フランジ、  ５０ 排水口接続部、  ５２ 突出部、  ６０ 拡大空間部、  ６１ 底面、  ６２ 内壁面、  ６３ 排水孔、  ６４ 拡大空間、  ６５ 半隠蔽空間、  ７０ 排水流路部
【図１】
2019015057.tif 000003
【図２】
2019015057.tif 000004
【図３】
2019015057.tif 000005
【図４】
2019015057.tif 000006
【図５】
2019015057.tif 000007
【図６】
2019015057.tif 000008